(57)【要約】容器を少なくとも部分的に保持するキャリアを構成するパッケージ。キャリアは、トップパネル、トップパネルに折り曲げ可能に接続している第１の外側サイドパネル、第１の外側サイドパネルに折り曲げ可能に接続している第１の内側サイドパネル、トップパネルに折り曲げ可能に接続している第２の外側サイドパネル、第２の外側サイドパネルに折り曲げ可能に接続している第２の内側サイドパネル、第１の内側サイドパネルに折り曲げ可能に接続している第１のボトムパネル、及び第２の内側サイドパネルに折り曲げ可能に接続している第２のボトムパネルを備える。容器収納部が、第１の内側サイドパネル及び第１の外側サイドパネルにおける第１の保持機能部と、第２の内側サイドパネル及び第２の外側サイドパネルにおける対向する第２の保持機能部とを備えることができる。容器のトップ部分は、第１の保持機能部及び第２の保持機能部によって保持されることができる。
2014513654.tif 000002
【特許請求の範囲】
【請求項１】
トップ部分及び本体部分を備える少なくとも１つの容器を少なくとも部分的に保持するキャリアを構成するパッケージであって、前記キャリアは、
トップパネル、そのトップパネルに折り曲げ可能に接続している第１の外側サイドパネル、その第１の外側サイドパネルに折り曲げ可能に接続している第１の内側サイドパネル、前記トップパネルに折り曲げ可能に接続している第２の外側サイドパネル、その第２の外側サイドパネルに折り曲げ可能に接続している第２の内側サイドパネル、前記第１の内側サイドパネルに折り曲げ可能に接続している第１のボトムパネル、及び前記第２の内側サイドパネルに折り曲げ可能に接続している第２のボトムパネルと、
第１の保持機能部及び対向する第２の保持機能部を備える少なくとも１つの容器収納部であって、前記第１の保持機能部は前記第１の内側サイドパネル及び前記第１の外側サイドパネルの少なくとも一方において延在し、前記第２の保持機能部は前記第２の内側サイドパネル及び前記第２の外側サイドパネルの少なくとも一方において延在し、前記少なくとも１つの容器の前記トップ部分は前記第１の保持機能部及び前記第２の保持機能部の少なくとも一方によって少なくとも部分的に保持される、少なくとも１つの容器収納部と、
を備え、
前記第１のボトムパネル及び前記第２のボトムパネルのそれぞれは、前記トップパネルと前記少なくとも１つの容器の前記トップ部分との間に少なくとも部分的に配置される、パッケージ。
【請求項２】
請求項１に記載のパッケージであって、前記第１の外側サイドパネル及び前記第２の外側サイドパネルの少なくとも一方は、前記少なくとも１つの容器収納部に隣接する湾曲部を備える、パッケージ。
【請求項３】
請求項２に記載のパッケージであって、前記少なくとも１つの容器は第１の容器と第２の容器とを備え、前記少なくとも１つの容器収納部は、前記第１の容器を収納する第１の容器収納部と、前記第２の容器を収納する第２の容器収納部とを備え、前記湾曲部は、前記第１の容器収納部と前記第２の容器収納部との間に少なくとも部分的に延在する前記第１の外側サイドパネル及び前記第２の外側サイドパネルの前記少なくとも一方の凹状湾曲部である、パッケージ。
【請求項４】
請求項３に記載のパッケージであって、
前記第１の外側サイドパネルは第１の折り線に沿って前記トップパネルに折り曲げ可能に接続しており、前記第１の内側サイドパネルは第２の折り線に沿って前記第１の外側サイドパネルに折り曲げ可能に接続しており、前記第２の外側サイドパネルは第３の折り線に沿って前記トップパネルに折り曲げ可能に接続しており、前記第２の内側サイドパネルは第４の折り線に沿って前記第２の外側サイドパネルに折り曲げ可能に接続し、
前記第１の折り線及び前記第３の折り線の少なくとも一方は、第１の弧状の中央部分を備え、前記第２の折り線及び前記第４の折り線の少なくとも一方は第２の弧状の中央部分を備え、前記第１の弧状の中央部分と前記第２の弧状の中央部分とは、前記第１の容器収納部と前記第２の容器収納部との間に少なくとも部分的に延在し、
前記湾曲部は、少なくとも前記第１の弧状の中央部分と前記第２の弧状の中央部分との間に延在する、パッケージ。
【請求項５】
請求項１に記載のパッケージであって、前記少なくとも１つの容器収納部の前記第１の保持機能部は、前記第１の外側サイドパネルにおける第１の外側開口と、その第１の外側開口に隣接する第１の外側保持タブとを備え、前記少なくとも１つの容器収納部の前記第２の保持機能部は、前記第２の外側サイドパネルにおける第２の外側開口と、その第２の外側開口に隣接する第２の外側保持タブとを備える、パッケージ。
【請求項６】
請求項５に記載のパッケージであって、前記第１の外側開口と前記第２の外側開口とは前記トップパネルに隣接しており、前記第１の外側保持タブと前記第２の外側保持タブとは、前記容器の対向する両側で前記少なくとも１つの容器の前記トップ部分の下側に係合する、パッケージ。
【請求項７】
請求項５に記載のパッケージであって、前記少なくとも１つの容器収納部の前記第１の保持機能部は、前記第１の外側開口に隣接する前記第１の外側サイドパネルに折り曲げ可能に接続しているとともに第１の切れ目によって前記第１の外側保持タブから分離可能である少なくとも１つの第１の外側保持フラップを備え、前記少なくとも１つの容器収納部の前記第２の保持機能部は、前記第２の外側開口に隣接する前記第２の外側サイドパネルに折り曲げ可能に接続しているとともに第２の切れ目によって前記第２の外側保持タブから分離可能である少なくとも１つの第２の外側保持フラップを備える、パッケージ。
【請求項８】
請求項１に記載のパッケージであって、前記少なくとも１つの容器収納部の前記第１の保持機能部は、前記第１の内側サイドパネルにおける第１の内側開口と、その第１の内側開口に隣接する少なくとも１つの第１の内側保持フラップとを備え、前記少なくとも１つの容器収納部の前記第２の保持機能部は、前記第２の内側サイドパネルにおける第２の内側開口と、その第２の内側開口に隣接する少なくとも１つの第２の内側保持フラップとを備える、パッケージ。
【請求項９】
請求項８に記載のパッケージであって、前記少なくとも１つの第１の内側保持フラップは、少なくとも前記第１の内側サイドパネルにおいて第１の弧状の折り線によって少なくとも部分的に画定され、前記少なくとも１つの第２の内側保持フラップは、少なくとも第２の内側サイドパネルにおいて第２の弧状の折り線によって少なくとも部分的に画定される、パッケージ。
【請求項１０】
請求項８に記載のパッケージであって、前記少なくとも１つの第１の内側保持フラップは、前記第１の内側開口に隣接する前記第１の内側サイドパネルに折り曲げ可能に接続している少なくとも２つの第１の内側保持フラップを備え、前記少なくとも１つの第２の内側保持フラップは、前記第２の内側開口に隣接する前記第２の内側サイドパネルに折り曲げ可能に接続している少なくとも２つの第２の内側保持フラップを備え、前記少なくとも２つの第１の内側保持フラップ及び前記少なくとも２つの第２の内側保持フラップのそれぞれは、少なくとも１つの切れ目によって少なくとも部分的に体裁よく画定される、パッケージ。
【請求項１１】
請求項８に記載のパッケージであって、前記少なくとも１つの容器収納部の前記第１の保持機能部は、前記第１の外側サイドパネルにおける第１の外側開口と、その第１の外側開口に隣接する第１の外側保持タブとを更に備え、前記少なくとも１つの容器収納部の前記第２の保持機能部は、前記第２の外側サイドパネルにおける第２の外側開口と、その第２の外側開口に隣接する第２の外側保持タブとを更に備え、前記第１の外側開口及び前記第２の外側開口とは、前記第１の内側開口及び前記第２の内側開口と概ね位置合わせされる、パッケージ。
【請求項１２】
請求項１１に記載のパッケージであって、前記少なくとも１つの容器の前記トップ部分は、前記第１の内側開口及び前記第２の内側開口のそれぞれに少なくとも部分的に収納され、前記少なくとも１つの第１の内側保持フラップ及び前記第２の内側保持フラップは、前記少なくとも１つの容器の前記本体部分の対向する両側に係合する、パッケージ。
【請求項１３】
請求項１２に記載のパッケージであって、前記少なくとも１つの容器の前記トップ部分は、前記第１の外側開口及び前記第２の外側開口のそれぞれに少なくとも部分的に更に収納され、前記第１の外側保持タブ及び前記第２の外側保持タブは、前記少なくとも１つの容器の前記トップ部分の対向する両側の下側に係合する、パッケージ。
【請求項１４】
請求項８に記載のパッケージであって、前記第１のボトムパネルは、前記少なくとも１つの容器収納部の前記第１の内側開口に隣接する少なくとも１つの係止タブを備え、前記第２のボトムパネルは少なくとも１つの係止穴を有し、前記少なくとも１つの係止タブは前記少なくとも１つの係止穴に少なくとも部分的に収納される、パッケージ。
【請求項１５】
請求項１４に記載のパッケージであって、前記第２のボトムパネルは、前記少なくとも１つの容器収納部の前記内側開口に隣接する少なくとも１つの拡張部を更に備え、その少なくとも１つの拡張部は前記トップパネルと少なくとも部分的に対面に接触している、パッケージ。
【請求項１６】
請求項１に記載のパッケージであって、前記少なくとも１つの容器収納部の前記第１の保持機能部及び前記第２の保持機能部の少なくとも一方は、
前記第１の外側サイドパネルと前記第２の外側サイドパネルとの少なくとも一方における少なくとも１つの外側開口、及びその少なくとも１つの外側開口に隣接する少なくとも１つの保持タブと、
前記第１の内側サイドパネルと前記第２の内側サイドパネルとの少なくとも一方における少なくとも１つの内側開口、及びその少なくとも１つの内側開口に隣接する少なくとも１つの内側保持フラップと、
を含む、パッケージ。
【請求項１７】
請求項１に記載のパッケージであって、前記第１のボトムパネルは少なくとも１つの係止タブを備え、前記第２のボトムパネルは少なくとも１つの係止穴を有し、前記少なくとも１つの係止タブは前記少なくとも１つの係止穴に少なくとも部分的に収納される、パッケージ。
【請求項１８】
請求項１７に記載のパッケージであって、前記少なくとも１つの係止タブは少なくとも１つの主係止タブを備え、前記第２のボトムパネルは、前記少なくとも１つの係止穴に隣接する少なくとも１つの副係止タブを備え、その少なくとも１つの副係止タブは、前記少なくとも１つの主係止タブとは反対側の前記第１のボトムパネルの自由縁に係合する、パッケージ。
【請求項１９】
請求項１７に記載のパッケージであって、前記少なくとも１つの係止穴は少なくとも１つのタブ収納縁を有し、前記第２のボトムパネルにおいて、前記少なくとも１つのタブ収納縁の各端から切れ目が延在する、パッケージ。
【請求項２０】
トップ部分及び本体部分を備える少なくとも１つの容器を少なくとも部分的に保持するキャリアを形成するブランクであって、そのブランクは、
トップパネル、そのトップパネルに折り曲げ可能に接続している第１の外側サイドパネル、その第１の外側サイドパネルに折り曲げ可能に接続している第１の内側サイドパネル、前記トップパネルに折り曲げ可能に接続している第２の外側サイドパネル、その第２の外側サイドパネルに折り曲げ可能に接続している第２の内側サイドパネル、前記第１の内側サイドパネルに折り曲げ可能に接続している第１のボトムパネル、及び前記第２の内側サイドパネルに折り曲げ可能に接続している第２のボトムパネルと、
前記ブランクから形成される前記キャリアにおいて少なくとも１つの容器収納部を形成する収納機能部であって、その収納機能部は、前記第１の内側サイドパネル及び前記第１の外側サイドパネルの少なくとも一方において延在する第１の保持機能部と、前記第２の内側サイドパネル及び前記第２の外側サイドパネルの少なくとも一方において延在する対向する第２の保持機能部とを備え、前記第１の保持機能部及び前記第２の保持機能部の少なくとも一方は、前記ブランクから形成される前記キャリアにおいて前記少なくとも１つの容器の前記トップ部分を少なくとも部分的に保持する、収納機能部と、
を備え、
前記ブランクから前記キャリアが形成されると、前記第１のボトムパネル及び前記第２のボトムパネルのそれぞれの少なくとも一部分が、前記トップパネルと前記少なくとも１つの容器の前記トップ部分との間に少なくとも部分的に配置される、ブランク。
【請求項２１】
請求項２０に記載のブランクであって、
前記第１の外側サイドパネルは第１の折り線に沿って前記トップパネルに折り曲げ可能に接続しており、前記第１の内側サイドパネルは第２の折り線に沿って前記第１の外側サイドパネルに折り曲げ可能に接続しており、前記第２の外側サイドパネルは第３の折り線に沿って前記トップパネルに折り曲げ可能に接続しており、前記第２の内側サイドパネルは第４の折り線に沿って前記第２の外側サイドパネルに折り曲げ可能に接続しており、
前記第１の折り線及び前記第３の折り線の少なくとも一方は第１の弧状の中央部分を備え、前記第２の折り線及び前記第４の折り線の少なくとも一方は第２の弧状の中央部分を備え、前記ブランクから形成される前記キャリアにおいて、前記第１の弧状の中央部分及び前記第２の弧状の中央部分は、前記少なくとも１つの容器収納部に隣接する前記第１の外側サイドパネル及び前記第２の外側サイドパネルの少なくとも一方の湾曲部を形成する、ブランク。
【請求項２２】
請求項２１に記載のブランクであって、
前記収納機能部は第３の保持機能部及び第４の保持機能部を更に備え、前記ブランクから形成される前記キャリアにおいて、前記第１の保持機能部及び前記第２の保持機能部は第１の容器収納部を形成し、前記第３の保持機能部及び前記第４の保持機能部は第２の容器収納部を形成し、
前記第１の弧状の中央部分及び前記第２の弧状の中央部分は、前記第１の保持機能部及び前記第２の保持機能部の少なくとも一方と、前記第３の保持機能部及び前記第４の保持機能部のそれぞれ一方との間に少なくとも部分的に延在する、ブランク。
【請求項２３】
請求項２０に記載のブランクであって、前記第１の保持機能部は、前記第１の外側サイドパネルにおける第１の外側開口と、その第１の外側開口に隣接する第１の外側保持タブとを備え、前記第２の保持機能部は、前記第２の外側サイドパネルにおける第２の外側開口と、その第２の外側開口に隣接する第２の外側保持タブとを備える、ブランク。
【請求項２４】
請求項２３に記載のブランクであって、前記第１の外側開口及び前記第２の外側開口は前記トップパネルに隣接しており、前記ブランクから前記キャリアが形成されると、前記第１の外側保持タブ及び前記第２の外側保持タブは、前記容器の対向する両側において前記少なくとも１つの容器の前記トップ部分の下側に係合する、ブランク。
【請求項２５】
請求項２３に記載のブランクであって、前記第１の保持機能部は、前記第１の外側開口に隣接する前記第１の外側サイドパネルに折り曲げ可能に接続しているとともに第１の切れ目によって前記第１の外側保持タブから分離可能である少なくとも１つの第１の外側保持フラップを備え、前記第２の保持機能部は、前記第２の外側開口に隣接する前記第２の外側サイドパネルに折り曲げ可能に接続しているとともに第２の切れ目によって前記第２の外側保持タブから分離可能である少なくとも１つの第２の外側保持フラップを備える、ブランク。
【請求項２６】
請求項２０に記載のブランクであって、前記第１の保持機能部は、前記第１の内側サイドパネルにおける第１の内側開口と、その第１の内側開口に隣接する少なくとも１つの第１の内側保持フラップとを備え、前記第２の保持機能部は、前記第２の内側サイドパネルにおける第２の内側開口と、その第２の内側開口に隣接する少なくとも１つの第２の内側保持フラップとを備える、ブランク。
【請求項２７】
請求項２６に記載のブランクであって、前記少なくとも１つの第１の内側保持フラップは、少なくとも前記第１の内側サイドパネルにおいて第１の弧状の折り線によって少なくとも部分的に画定され、前記少なくとも１つの第２の内側保持フラップは、少なくとも第２の内側サイドパネルにおいて第２の弧状の折り線によって少なくとも部分的に画定される、ブランク。
【請求項２８】
請求項２６に記載のブランクであって、前記少なくとも１つの第１の内側保持フラップは、前記第１の内側開口に隣接する前記第１の内側サイドパネルに折り曲げ可能に接続している少なくとも２つの第１の内側保持フラップを備え、前記少なくとも１つの第２の内側保持フラップは、前記第２の内側開口に隣接する前記第２の内側サイドパネルに折り曲げ可能に接続している少なくとも２つの第２の内側保持フラップを備え、前記少なくとも２つの第１の内側保持フラップ及び前記少なくとも２つの第２の内側保持フラップのそれぞれは、少なくとも１つの切れ目によって少なくとも部分的に体裁よく画定される、ブランク。
【請求項２９】
請求項２６に記載のブランクであって、前記第１の保持機能部は、前記第１の外側サイドパネルにおける第１の外側開口と、その第１の外側開口に隣接する第１の外側保持タブとを更に備え、前記第２の保持機能部は、前記第２の外側サイドパネルにおける第２の外側開口と、その第２の外側開口に隣接する第２の外側保持タブとを更に備え、前記第１の外側開口及び前記第２の外側開口は、前記第１の内側開口及び前記第２の内側開口と概ね位置合わせされる、ブランク。
【請求項３０】
請求項２６に記載のブランクであって、前記第１のボトムパネルは、前記第１の保持機能部の前記第１の内側開口に隣接する少なくとも１つの係止タブを備え、前記第２のボトムパネルは少なくとも１つの係止穴を有し、前記ブランクから前記キャリアが形成されると、前記少なくとも１つの係止タブは前記少なくとも１つの係止穴に少なくとも部分的に収納される、ブランク。
【請求項３１】
請求項３０に記載のブランクであって、前記第２のボトムパネルは、前記少なくとも１つの容器収納部の前記内側開口に隣接する少なくとも１つの拡張部を更に含み、前記ブランクから前記キャリアが形成されると、前記少なくとも１つの拡張部は前記トップパネルと少なくとも部分的に対面に接触して配置される、ブランク。
【請求項３２】
請求項２０に記載のブランクであって、前記第１の保持機能部及び前記第２の保持機能部の少なくとも一方は、
前記第１の外側サイドパネルと前記第２の外側サイドパネルとの少なくとも一方における少なくとも１つの外側開口、及びその少なくとも１つの外側開口に隣接する少なくとも１つの保持タブと、
前記第１の内側サイドパネルと前記第２の内側サイドパネルとの少なくとも一方における少なくとも１つの内側開口、及びその少なくとも１つの内側開口に隣接する少なくとも１つの内側保持フラップと、
を備える、ブランク。
【請求項３３】
請求項２０に記載のブランクであって、前記第１のボトムパネルは少なくとも１つの主係止タブを備え、前記第２のボトムパネルは、少なくとも１つの係止穴と、その少なくとも１つの係止穴に隣接する少なくとも１つの副係止タブとを備え、前記ブランクから前記キャリアが形成されると、前記少なくとも１つの主係止タブは前記少なくとも１つの係止穴に少なくとも部分的に収納され、前記少なくとも１つの副係止タブは前記少なくとも１つの主係止タブとは反対側の前記第１のボトムパネルの自由縁に係合する、ブランク。
【請求項３４】
請求項３３に記載のブランクであって、前記少なくとも１つの係止穴は少なくとも１つのタブ収納縁を有し、前記第２のボトムパネルにおいて、前記少なくとも１つのタブ収納縁の各端から切れ目が延在する、ブランク。
【請求項３５】
パッケージを形成する方法であって、
トップパネル、そのトップパネルに折り曲げ可能に接続している第１の外側サイドパネル、その第１の外側サイドパネルに折り曲げ可能に接続している第１の内側サイドパネル、前記トップパネルに折り曲げ可能に接続している第２の外側サイドパネル、その第２の外側サイドパネルに折り曲げ可能に接続している第２の内側サイドパネル、前記第１の内側サイドパネルに折り曲げ可能に接続している第１のボトムパネル、前記第２の内側サイドパネルに折り曲げ可能に接続している第２のボトムパネル、及び前記第１の内側サイドパネルと前記第１の外側サイドパネルとの少なくとも一方において延在する第１の保持機能部と、前記第２の内側サイドパネルと前記第２の外側サイドパネルとの少なくとも一方において延在する対向する第２の保持機能部とを有する収納機能部を備えるブランクを得ることと、
前記第１のボトムパネルと前記第２のボトムパネルとが前記トップパネルとは反対側で少なくとも部分的に重なるように前記ブランクを折り曲げ、内部及び少なくとも１つの容器収納部を有するキャリアを形成することであって、前記少なくとも１つの容器収納部は前記第１の保持機能部及び前記第２の保持機能部を備える、キャリアを形成することと、
少なくとも１つの容器を前記少なくとも１つの容器収納部に体裁よく収納するように位置決めすることであって、前記第１のボトムパネル及び前記第２のボトムパネルの少なくとも一部分が前記トップパネルと前記少なくとも１つの容器のトップ部分との間に配置される、少なくとも１つの容器を位置決めすることと、
を含む、方法。
【請求項３６】
請求項３５に記載の方法であって、
前記キャリアを形成することは、前記トップパネルに対して概ね下方に延在するように前記第１の外側サイドパネル及び前記第２の外側サイドパネルを折り曲げることを含み、
前記少なくとも１つの容器を位置決めすることは、前記第１のボトムパネル及び前記第２のボトムパネルが前記トップパネルと少なくとも部分的に対面に接触するとともに、前記第１の内側サイドパネル及び前記第２の内側サイドパネルがそれぞれの前記第１の外側サイドパネル及び前記第２の外側サイドパネルからそれぞれの前記第１のボトムパネル及び前記第２のボトムパネルまで概ね上方に延在するように、前記第１の内側サイドパネル及び前記第２の内側サイドパネルを折り曲げることを含む、方法。
【請求項３７】
請求項３６に記載の方法であって、
前記第１の外側サイドパネルは第１の折り線に沿って前記トップパネルに折り曲げ可能に接続しており、前記第１の内側サイドパネルは第２の折り線に沿って前記第１の外側サイドパネルに折り曲げ可能に接続しており、前記第２の外側サイドパネルは第３の折り線に沿って前記トップパネルに折り曲げ可能に接続しており、前記第２の内側サイドパネルは第４の折り線に沿って前記第２の外側サイドパネルに折り曲げ可能に接続しており、
前記第１の折り線及び前記第３の折り線の少なくとも一方は、第１の弧状の中央部分を有し、前記第２の折り線及び前記第４の折り線の少なくとも一方は第２の弧状の中央部分を有し、
前記第１の外側サイドパネル及び前記第２の外側サイドパネルを折り曲げることは、前記少なくとも１つの容器収納部に隣接する前記第１の外側サイドパネル及び前記第２の外側サイドパネルの少なくとも一方において、前記第１の弧状の中央部分と前記第２の弧状の中央部分との間に延在する湾曲部を形成することを含む、方法。
【請求項３８】
請求項３５に記載の方法であって、前記第１の保持機能部は、前記第１の内側サイドパネルにおける第１の内側開口と、その第１の内側開口に隣接する少なくとも１つの第１の内側保持フラップとを備え、前記第２の保持機能部は、前記第２の内側サイドパネルにおける第２の内側開口と、その第２の内側開口に隣接する少なくとも１つの第２の内側保持フラップとを備える、方法。
【請求項３９】
請求項３８に記載の方法であって、
前記第１の保持機能部は、前記第１の外側サイドパネルにおける第１の外側開口と、その第１の外側開口に隣接する第１の外側保持タブとを更に備え、前記第２の保持機能部は、前記第２の外側サイドパネルにおける第２の外側開口と、その第２の外側開口に隣接する第２の外側保持タブとを更に備え、前記第１の外側開口及び前記第２の外側開口は、前記第１の内側開口及び前記第２の内側開口と概ね位置合わせされ、
前記少なくとも１つの容器を位置決めすることは、前記少なくとも１つの容器のトップ部分の第１の部分を前記第１の内側開口及び前記第１の外側開口に、また前記少なくとも１つの容器の前記トップ部分の第２の部分を前記第２の内側開口及び前記第２の外側開口に挿通することであって、前記第１の外側保持タブの少なくとも一部分が前記少なくとも１つの容器の前記トップ部分に係合するとともに前記第２の外側保持タブの少なくとも一部分が前記少なくとも１つの容器の前記トップ部分に係合する、挿通することを含む、方法。
【発明の詳細な説明】
【技術分野】
【０００１】
本開示は、概して、飲料用容器、缶、又は他のタイプの物品を保持して分配するカートンに関する。本開示は、より詳細には、１つ又は複数の容器の少なくとも一部分において挟むカートンに関する。
【０００２】
［関連出願の相互参照］
本願は、２０１１年５月１３日付けで出願された米国仮特許出願第６１／５１８，８８５号の優先権を主張する。
【０００３】
［参照による援用］
２０１１年５月１３日付けで出願された米国仮特許出願第６１／５１８，８８５号の全ての開示内容は、その全体が本明細書において全ての目的で参照されることにより援用される。
【発明の概要】
【０００４】
概して、本開示の１つの態様は概ね、少なくとも１つの容器を少なくとも部分的に保持するキャリアを備えるパッケージに関する。少なくとも１つの容器はトップ部分及び本体部分を備えることができる。キャリアは、トップパネル、トップパネルに折り曲げ可能に接続している第１の外側サイドパネル、第１の外側サイドパネルに折り曲げ可能に接続している第１の内側サイドパネル、トップパネルに折り曲げ可能に接続している第２の外側サイドパネル、第２の外側サイドパネルに折り曲げ可能に接続している第２の内側サイドパネル、第１の内側サイドパネルに折り曲げ可能に接続している第１のボトムパネル、及び第２の内側サイドパネルに折り曲げ可能に接続している第２のボトムパネルを備える。少なくとも１つの容器収納部が、第１の保持機能部及び対向する第２の保持機能部を備えることができ、第１の保持機能部は第１の内側サイドパネル及び第１の外側サイドパネルの少なくとも一方において延在し、第２の保持機能部は第２の内側サイドパネル及び第２の外側サイドパネルの少なくとも一方において延在する。少なくとも１つの容器のトップ部分は第１の保持機能部及び第２の保持機能部の少なくとも一方によって少なくとも部分的に保持されることができる。第１のボトムパネル及び第２のボトムパネルのそれぞれは、トップパネルと少なくとも１つの容器のトップ部分との間に少なくとも部分的に配置される。
【０００５】
別の態様において、本開示は概ね、少なくとも１つの容器を少なくとも部分的に保持するキャリアを形成するブランクに関する。少なくとも１つの容器はトップ部分及び本体部分を含むことができる。ブランクは、トップパネル、トップパネルに折り曲げ可能に接続している第１の外側サイドパネル、第１の外側サイドパネルに折り曲げ可能に接続している第１の内側サイドパネル、トップパネルに折り曲げ可能に接続している第２の外側サイドパネル、第２の外側サイドパネルに折り曲げ可能に接続している第２の内側サイドパネル、第１の内側サイドパネルに折り曲げ可能に接続している第１のボトムパネル、及び第２の内側サイドパネルに折り曲げ可能に接続している第２のボトムパネルを備える。ブランクは、ブランクから形成されるキャリアにおいて少なくとも１つの容器収納部を形成する収納機能部を更に備えることができる。収納機能部は、第１の内側サイドパネル及び第１の外側サイドパネルの少なくとも一方において延在する第１の保持機能部と、第２の内側サイドパネル及び第２の外側サイドパネルの少なくとも一方において延在する対向する第２の保持機能部とを備える。第１の保持機能部及び第２の保持機能部の少なくとも一方は、ブランクから形成されるキャリアにおいて少なくとも１つの容器のトップ部分を少なくとも部分的に保持するものとすることができる。ブランクからキャリアが形成されると、第１のボトムパネル及び第２のボトムパネルのそれぞれの少なくとも一部分が、トップパネルと少なくとも１つの容器のトップ部分との間に少なくとも部分的に配置されるものである。
【０００６】
別の態様において、本開示は概ね、パッケージを形成する方法に関する。本方法は、トップパネル、トップパネルに折り曲げ可能に接続している第１の外側サイドパネル、第１の外側サイドパネルに折り曲げ可能に接続している第１の内側サイドパネル、トップパネルに折り曲げ可能に接続している第２の外側サイドパネル、第２の外側サイドパネルに折り曲げ可能に接続している第２の内側サイドパネル、第１の内側サイドパネルに折り曲げ可能に接続している第１のボトムパネル、第２の内側サイドパネルに折り曲げ可能に接続している第２のボトムパネル、並びに、第１の内側サイドパネル及び第１の外側サイドパネルの少なくとも一方において延在する第１の保持機能部と、第２の内側サイドパネル及び第２の外側サイドパネルの少なくとも一方において延在する対向する第２の保持機能部とを含む収納機能部を備えるブランクを得ることを含む。本方法は、第１のボトムパネルと第２のボトムパネルとがトップパネルとは反対側で少なくとも部分的に重なるようにブランクを折り曲げることによって、内部及び少なくとも１つの容器収納部を有するキャリアを形成することを更に含むことができる。少なくとも１つの容器収納部は第１の保持機能部及び第２の保持機能部を備えることができる。本方法は、少なくとも１つの容器を少なくとも１つの容器収納部に体裁よく収納するように位置決めすることであって、第１のボトムパネル及び第２のボトムパネルの少なくとも一部分がトップパネルと少なくとも１つの容器のトップ部分との間に配置されることを更に含むことができる。
【０００７】
本開示の他の態様、特徴及び詳細は、図面と組み合わせた以下の詳細な説明の参照によって、また添付の特許請求の範囲から、より完全に理解することができる。
【０００８】
当業者は、添付図面を参照して実施形態の以下の詳細な説明を読むことによって、上記の利点、並びに種々の更なる実施形態の他の利点及び利益を理解するであろう。さらに、以下で説明する図面の種々の特徴は、必ずしも一定の縮尺比で描かれているとは限らない。図面における種々の特徴及び要素の寸法は、本開示の実施形態をより明確に示すように拡大又は縮小されている場合がある。
【図面の簡単な説明】
【０００９】
【図１】本開示の第１の実施形態によるキャリアを形成するのに用いられるブランクの平面図である。
【図２】本開示の第１の実施形態による図１のブランクから形成されるキャリアの斜視図である。
【図３】本開示の第１の実施形態によるパッケージを形成するように容器を保持している図２のキャリアの斜視図である。
【図４】図３のパッケージの端部の斜視図である。
【図５】図３のパッケージの一部分の下部の斜視図である。
【図６】図３のパッケージの別の部分の下部の斜視図である。
【図７】本開示の第２の実施形態によるキャリアを形成するのに用いられるブランクの平面図である。
【図８】本開示の第２の実施形態によるパッケージを形成するように容器を保持している図７のブランクから形成されたキャリアの側部の斜視図である。
【図９】本開示の第３の実施形態によるキャリアを形成するのに用いられるブランクの平面図である。
【図１０】本開示の第３の実施形態による図９のブランクから形成されるキャリアの下部の斜視図である。
【図１１】本開示の第３の実施形態によるパッケージを形成するように容器を保持している図１０のキャリアの側面図である。
【図１２】図１１のパッケージの端部の斜視図である。
【発明を実施するための形態】
【００１０】
対応する部分は、図面を通して対応する参照符号によって示されている。
【００１１】
本開示は、概して、カップ、ジャー、ボトル、缶等のような容器を保持して陳列するキャリア、構造物、スリーブ、カートン等、及びパッケージに関する。容器は、例えば、食品及び飲料製品を包装するために用いることができる。容器は、特定の食料品又は飲料品を包装するのに適した組成の材料から作ることができ、その材料は、ガラス等、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチック等、アルミニウム及び／又は他の金属、又はそれらの任意の組み合わせを含むが、これらに限定されない。
【００１２】
本開示によるキャリアは、多数の異なる形状の容器を収容することができる。本開示の範囲を限定する目的ではなく、説明する目的から、以下の詳細な説明では、キャリアの実施形態の中に少なくとも部分的に配置される食品容器（例えば、ガラスジャー、プラスチック容器又はアルミニウム缶）について説明する。本明細書において、「下側」、「ボトム」、「上側」、「トップ」、「外側」及び「内側」という用語は、完全に組み立てられたキャリア又はパッケージに関して定められる向きを示す。
【００１３】
図１は、本開示の第１の実施形態によるカートンすなわちキャリア１０５（図２）を形成するのに用いられるブランク１０３の外側表面１０１の平面図である。ブランク１０３は、長手方向軸Ｌ１及び横軸Ｌ２を有する。キャリア１０５は、図３から図６においてその組立て状態で示されている。組立状態では、キャリア１０５は容器Ｃの上側部分に取付けられ、パッケージ１０６を形成する。容器Ｃのそれぞれは、それぞれの容器収納部１０７、１０９内に少なくとも部分的に保持することができる。図示の実施形態では、容器Ｃはトップ部分すなわち蓋Ｌ及びボトム部分すなわち本体Ｂを有するガラスジャーとして示されている。しかし、本開示から逸脱することなく、他の容器をパッケージ１０６内に保持することができる。１つの実施形態において、容器Ｃの蓋Ｌは、容器Ｃから外方に延在するリムＲを備える。代替的には、リムＲは代替的な容器（例えば、図１０から図１２の容器Ｃ２）の上側部分から延在する縁とすることができる。容器の上側部分及びリム部分は、本発明から逸脱することなく別様に構成又は省略することができる。図１に示されているように、ブランク１０３は、長手方向軸Ｌ１を中心に完全に又は部分的に対称的とすることができる。したがって、完全な及び／又は部分的な対称を反映するために、図面の或る特定の要素は共通又は同様の参照符号を共有している。
【００１４】
図１を参照すると、ブランク１０３は第１の横方向折り線１１４において第１の外側サイドパネル１１２に折り曲げ可能に接続しているトップパネル１１０と、第２の横方向折り線１１８において第１の外側サイドパネル１１２に折り曲げ可能に接続している第１の内側サイドパネル１１６と、第３の横方向折り線１２２において第１の内側サイドパネル１１６に折り曲げ可能に接続している第１のボトムパネル１２０と、第４の横方向折り線１２６においてトップパネル１１０に折り曲げ可能に接続している第２の外側サイドパネル１２４と、第５の横方向折り線１３０において第２の外側サイドパネル１２４に折り曲げ可能に接続している第２の内側サイドパネル１２８と、第６の横方向折り線１３４において第２の内側サイドパネル１２８に折り曲げ可能に接続している第２のボトムパネル１３２とを備える。
【００１５】
１つ又は複数の切れ目を横方向折り線１１４、１１８、１２２、１２６、１３０、１３４のうちの１つ又は複数に含めて、折り線に沿った折り曲げを容易にすることができる。任意の数の切れ目を折り線のうちの任意のものに形成することができ、切れ目の数及び長さを、例えば、ブランク１０３を形成するのに用いられる材料の寸法及び／又は剛性に応じて選択することができる。折り線１１４、１１８、１２２、１２６、１３０、１３４は、本開示から逸脱することなく他の方法（例えば切れ目を有しない折り目線）によって形成することができる。
【００１６】
図示の実施形態では、２つの容器収納部１０７、１０９は一列に構成されている。それぞれの容器収納部１０７、１０９は、組み立てられたキャリア１０５内に保持されることになる容器Ｃのうちの１つの少なくとも蓋Ｌを収納するような形状及びサイズになっている。例示的な実施形態では、２つの容器Ｃは組み立てられたキャリア１０５に収容されて、１×２の構成のパッケージ１０６を形成している。１×３、１×４、２×２等のような他のパッケージ構成も本開示の範囲内にある。それぞれの容器収納部１０７、１０９は第１の外側サイドパネル１１２において延在する第１の外側保持機能部１３６と、第１の内側サイドパネル１１６において延在する第１の内側保持機能部１３８と、第２の外側サイドパネル１２４において延在する第２の外側保持機能部１４０と、第２の内側サイドパネル１２８において延在する第２の内側保持機能部１４２とを備える。１つの実施形態において、それぞれの容器収納部１０７、１０９の第１の外側保持機能部１３６及び第１の内側保持機能部１３８は集合的に第１の保持機能部を構成することができ、それぞれの容器収納部１０７、１０９の第２の外側保持機能部１４０及び第２の内側保持機能部１４２は集合的に第２の保持機能部を構成することができる。
【００１７】
図１に示されているように、第１の外側保持機能部１３６及び第２の外側保持機能部１４０のそれぞれは、トップパネル１１０に隣接するそれぞれの外側開口１４４、１４６と、それぞれの外側サイドパネル１１２、１２４から延在するそれぞれの外側保持タブ１４８、１５０とを備える。トップパネル１１０の湾曲部は、パッケージ１０６において容器Ｃの蓋Ｌの一部分を覆うように開口に向って延在することができる。第１の内側保持機能部１３８及び第２の内側保持機能部１４２のそれぞれは、それぞれのボトムパネル１２０、１３２に隣接するそれぞれの内側開口１５２、１５４を備える。さらに、第１の内側保持機能部１３８のそれぞれは、２つの内側保持フラップ１５６、１５８を備えることができ、内側保持フラップ１５６、１５８は、弧状の折り線１６０に沿って第１の内側サイドパネル１１６に折り曲げ可能に接続しているとともに長手方向切れ目１６２に沿って分離可能である。第２の内側保持機能部１４２のそれぞれは、２つの内側保持フラップ１６４、１６６を含むことができ、内側保持フラップ１６４、１６６は、弧状の折り線１６８に沿って第２の内側サイドパネル１２８に折り曲げ可能に接続しているとともに長手方向切れ目１７０に沿って分離可能である。代替的には、第１の容器収納部１０７及び／又は第２の容器収納部１０９は、本開示から逸脱することなく省略又は別様に形成し、配置し、位置決めし、及び／又は構成することができる。
【００１８】
図１に示されているように、第１の横方向折り線１１４及び第４の横方向折り線１２６のそれぞれは、トップパネル１１０の方に湾曲している弧状の中央部分１７２を備えることができ、第２の横方向折り線１１８及び第５の横方向折り線１３０のそれぞれは、それぞれの内側サイドパネル１１６、１２８の方に湾曲している弧状の中央部分１７４を備えることができる。弧状の中央部分１７２、１７４は、外側サイドパネル１１２、１２４において湾曲部１７８を形成し（図３及び図５）、容器収納部１０７、１０９間に把持エリア１７６をもたらし、サイドパネルが容器Ｃの形状に適合するのを助ける（図３、図５及び図６）。
【００１９】
図示の実施形態によれば、ブランク１０３はキャリア１０５（図２）においてボトムパネル１２０、１３２を相互係止する係止機能部を備えることができる。それに応じて、第１のボトムパネル１２０は内側開口１５２のそれぞれに隣接する主係止タブ１８０を備えることができ、第２のボトムパネル１３２はそれぞれの主係止タブ１８０と概ね位置合わせされる２つの対応する係止穴１８２を有することができる。係止穴１８２のそれぞれは、タブ収納縁１８４と、タブ収納縁１８４とは反対側に配置される副係止タブ１８６とを備えることができる。副係止タブ１８６は、それぞれの係止穴１８２に向って延在することができ、第２のボトムパネル１３２において長手方向切れ目によって画定することができる。斜めの切れ目１８５が第２のボトムパネル１３２においてタブ収納縁１８４の端から延在することができる。それに応じて、第１のボトムパネル１２０が第２のボトムパネル１３２に重なることができ、ボトムパネルを相互係止するように、主係止タブ１８０がそれぞれの係止穴１８２のタブ収納縁１８４に係合することができるとともに副係止タブ１８６が第１のボトムパネル１２０の自由縁１８８に係合することができるようになっている（図２）。第２のボトムパネル１３２は、第２の内側開口１５４のそれぞれに向って延在する拡張部１９０を含むこともできる。代替的には、第１のボトムパネル１２０及び第２のボトムパネル１３２並びに係止機能部は、本開示から逸脱することなく省略又は別様に形成し、配置し、位置決めし及び／又は構成することができる。
【００２０】
パッケージ１０６を形成するようにキャリア１０５を組み立てる例示的な方法が、図２及び図３を参照しながら以下で論じられる。図２に示されているように、外側サイドパネル１１２、１２４はそれぞれの横方向折り線１１４、１２６に沿って折り曲げられ、内側サイドパネル１１６、１２８はそれぞれの横方向折り線１１８、１３０に沿って折り曲げられ、第１のボトムパネル１２０が第２のボトムパネル１３２に重ねられる。主係止タブ１８０は、それぞれの係止穴１８２に挿入することができ、主係止タブ１８０がタブ収納縁１８４に係合するようになっている。第１のボトムパネル１２０の自由縁１８８は、第２のボトムパネル１３２の副係止タブ１８６の下に係合することができる。それに応じて、副係止タブ１８６は主係止タブ１８０がそれぞれの係止穴１８２から抜け出ることに抗し、第１のボトムパネル１２０及び第２のボトムパネル１３２が相互係止される。代替的には、ボトムパネル１２０、１３２は、本開示から逸脱することなく他の形成ステップ又は機能部によって相互係止することができる。
【００２１】
図示の実施形態では、容器Ｃは、蓋Ｌのトップ表面が相互係止されたボトムパネル１２０、１３０と接触している状態で容器収納部１０７、１０９のそれぞれと位置合わせすることができ、蓋Ｌが内側保持機能部１３８、１４２と概ね位置合わせされるようになっている。容器Ｃは、相互係止されたボトムパネル１２０、１３２がトップパネル１１０に押し当たるまでキャリア１０５の内部１９２に向かって押しやることができる。図３から図６に示されているように、相互係止されたボトムパネル１２０、１３２がトップパネル１１０に向かって動かされるとき、内側サイドパネル１１６、１２８及び外側サイドパネル１１２、１２４は容器Ｃの側面にもたれて内方に引きつけられる。蓋Ｌは、第１の内側開口１５２及び第２の内側開口１５４を通って、次にそれぞれの第１の容器収納部１０７及び第２の容器収納部１０９の第１の外側開口１４４及び第２の外側開口１４６を通って延在する。第１の内側サイドパネル１１６及び第２の内側サイドパネル１２８は、容器Ｃの湾曲部に少なくとも部分的に沿い（図５及び図６）、内側保持フラップ１５６、１５８、１６６、１６４は容器Ｃの本体部分Ｂに係合する。１つの実施形態において、内側保持フラップ１５６、１５８、１６６、１６４は、リムＲの下側に係合することができる。さらに、外側保持タブ１４８、１５０は、容器Ｃがそれぞれの容器収納部１０７、１０９に完全に挿入されるときにリムＲの下にスナップ係合するか及び／又は別様に係合することができる（図３）。それぞれの横方向折り線１１４、１２６及び１１８、１３０の弧状の中央部分１７２、１７４によって形成される外側サイドパネル１１２、１２４の湾曲部１７８は、内側側壁及び外側側壁が容器Ｃの輪郭に沿うことを更に助け、容器Ｃをキャリア１０５によってしっかりと保持することができる。さらに、湾曲部１７８は、パッケージ１０６を把持及び運搬するのに好都合な把持エリア１７６を形成することができる（図３）。
【００２２】
それに応じて、図示の実施形態では、容器Ｃは、接着剤又は他の留め具を必要とすることなくキャリア１０５において保持することができる。その代わりに、容器Ｃは内側保持機能部１３８、１４２の内側保持フラップ１５６、１５８、１６６、１６４及び外側保持機能部１３６、１４０の外側保持タブ１４８、１５０によってリムＲにおいて支持される。リムＲに係合する内側保持フラップ１５６、１５８、１６６、１６４及び外側保持タブ１４８、１５０が、容器Ｃのうちの１つ又は複数をキャリア１０５から離すように引っ張る傾向があるいかなる力にも抗する。リムＲとトップパネル１１０との間に保持されるそれぞれのボトムパネル１２０、１３２が、内側サイドパネル１１６、１２８及び外側サイドパネル１１２、１２４のうちの１つ又は全てを容器Ｃから離すように引っ張る傾向があるいかなる力にも抗する。主係止タブ１８０をそれぞれの係止穴１８２及び副係止タブ１８６に係合することによって、ボトムパネル１２０、１３２が互いから離れるように動くことが防止される。それに応じて、係止タブは、容器Ｃから離れるサイドパネル１１２、１１６、１２４、１２８の動きに更に抗し、キャリア１０５の開放が更に抗される。代替的には、パッケージ１０６は本開示から逸脱することなく他の形成ステップ及び特徴部によって組み立てることができる。例えば、パネルのうちの１つ又は複数は、ともに糊付けして、キャリア１０５及び容器Ｃをパッケージ１０６にして固定するのを更に助けることができる。
【００２３】
組み立てられたパッケージ１０６が図３から図６に示されている。図示の実施形態では、キャリア１０５は端部が開放しており、サイドパネル１１２、１１６、１２４、１２８はトップパネル１１０から概ね斜めの方向に延在している。代替的な実施形態において、１つ又は複数の端部パネルを、トップパネル１１０、サイドパネル１１２、１１６、１２４、１２８及びボトムパネル１２０、１３２のうちの１つ又は複数に折り曲げ可能に接続することができる。
【００２４】
図７は、本開示の第２の実施形態によるカートンすなわちキャリア３０５を形成するブランク３０３の外側表面３０１を示している。組み立てられたキャリア３０５及びパッケージ３０６が図８に示されている。第２の実施形態は、述べられる変形及び当業者には明らかとなる変形を除いて第１の実施形態と概ね同様である。それに応じて、実施形態の同様又は同一の特徴部は類似又は同様の参照符号を与えられている。図７に示されているように、ブランク３０３は一列に配列されている３つの容器収納部３０７、３０８、３０９を備える。さらにブランク３０３は、それぞれがそれぞれの容器収納部３０７、３０８、３０９と概ね位置合わせされる、３つの主係止タブ１８０、係止穴１８２及び副係止タブ１８６を備える。代替的には、係止タブ及び係止穴は容器収納部からずれていることができ、及び／又はブランク３０３は異なる数の係止タブ及び係止穴を備えることができる。パッケージ３０６は第１の実施形態のパッケージ１０６に関して上述したのと同様に組み立てることができる。図８に示されているように、組み立てられたキャリア３０５はそれぞれの容器収納部３０７、３０８、３０９内に３つの容器Ｃを保持することができる。図８に示されているように、外側サイドパネル３１２、３２４に形成される湾曲部３７８は、サイドパネルが容器Ｃの形状に適合するのを助けるように、第１の容器収納部３０７と第２の容器収納部３０８との間及び第２の容器収納部３０８と第３の容器収納部３０９との間に配置され、容器Ｃをキャリア３０５内に保持するのを助けるとともにパッケージ３０６を把持及び／又は運搬する把持エリアを提供する。ブランク３０３及びパッケージ３０６は本開示から逸脱することなく代替的に構成することができる。例えば、キャリアは、任意の好適な数の容器収納部を備えることができる。
【００２５】
図９は、本開示の第３の実施形態によるカートンすなわちキャリア５０５（図１０から図１２）を形成するブランク５０３の外側表面５０１を示している。容器Ｃ２（例えばアルミニウム缶）を保持している組み立てられたキャリア５０５がパッケージ５０６を形成して図１０から図１２に示されている。第３の実施形態は、述べられる変形及び当業者には明らかとなる変形を除いて第１の実施形態と概ね同様である。それに応じて、実施形態の同様又は同一の特徴部は類似又は同様の参照符号を与えられている。図９に示されているように、ブランク５０３の容器収納部５０７、５０９は、弧状の折り線５６０において内側サイドパネル５１６に折り曲げ可能に接続しているとともに切れ目５６２によって画定されている５つの内側保持フラップ５５６、５５８、５９４、５９５、５９６を有する代替的な内側保持機能部５３８と、弧状の折り線５６８において内側サイドパネル５２８に折り曲げ可能に接続しているとともに切れ目５７０によって画定されている５つの内側保持フラップ５６４、５６６、５９７、５９８、５９９を有する代替的な内側保持機能部５４２とを備える。１つの実施形態において、内側保持フラップ５９４、５９７は図１０において例として示されているように省略することができる。さらに、外側保持機能部５３６、５４０は、縁の形態であることができる容器Ｃ２のリムＲに係合するように構成されるそれぞれの外側保持タブ５４８、５５０を備えることができる。外側保持機能部５３６、５４０は、折り線５５３、５５５に沿ってそれぞれの外側サイドパネル５１２、５２４に折り曲げ可能に接続しているとともに切れ目５５７、５５９に沿ってそれぞれの外側保持タブ５４８、５５０から分離可能である１つ又は複数の外側保持フラップ５４９、５５１を更に備えることができる。外側保持フラップ５４９、５５１及び追加の内側保持フラップは、キャリア５０５が容器Ｃの形状に更に適合するのを助けるとともに容器がキャリアから抜け出ることに更に抗することができる。ブランク５０３は本開示から逸脱することなく代替的に構成することができる。
【００２６】
図示の実施形態では、パッケージ５０６は、第１の実施形態のパッケージ１０６に関して上述したのと同様に組み立てることができる。図１０は、キャリア５０５の内部から容器収納部５０９を示すために１つの容器Ｃ２が省略されているパッケージ５０６の下側を示している。図１１及び図１２は、例として、リムＲ（例えば缶の縁）の下側に係合している外側保持タブ５４８、５５０、外側保持フラップ５４９、５５１及び内側保持フラップ５５８、５６６、５９５、５９８を示している。パッケージ５０６は本開示から逸脱することなく代替的に構成することができる。
【００２７】
本開示の範囲から逸脱することなく本開示の種々の実施形態の特徴部のうちの任意のものを、本開示の他の実施形態の他の特徴部と組み合わせるか、置き換えるか、又は他の特徴部とともに別様に構成することができる。
【００２８】
概して、ブランクは、通常の紙よりも重く硬質であるような厚みのある板紙で作成してもよい。ブランクは、ボール紙等の他の材料、又はカートンが少なくとも概ね上述のように機能することができるようにするのに適した特性を有する任意の他の材料で作成することもできる。ブランクは、例えばクレーコーティングでコーティングすることができる。次いで、クレーコート上に製品、広告、及び他の情報又は画像を印刷してもよい。次いで、ブランクに印刷されている情報を保護するように、ブランクをワニスでコーティングすることができる。ブランクの片面又は両面を、例えば防湿層でコーティングすることもできる。ブランクは、選択されたパネル又はパネルセクションに１つ又は複数のシート状材料を積層又はコーティングすることもできる。
【００２９】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組み合わせを含むことができる。より具体的な例としては、１つのタイプの引き裂き線は、引き裂き線を挟んで材料を通常は一時的に接続するようにニック（例えば、ブリッジにやや似た材料の小片）が間に画定されるように隣接するスリットを僅かに離間させた、材料を完全に貫通する一連の離間したスリットの形態である。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができるであろう。
【００３０】
例示的な実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分すなわち凹部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組み合わせを含む。切れ目を入れて折り線が作られる状況では、通常、切れ目を入れることは、賢明なユーザーでも誤って折り線を引き裂き線とみなす可能性があるほど大きすぎないものとする。
【００３１】
上記実施形態は、カートンの実施形態を組み立てる間に糊によって互いに接着される１つ又は複数のパネルを有するものとして説明することができる。「糊」という用語は、カートンパネルを適所に固定するのに一般的に用いられる全ての態様の接着剤を包含することが意図される。
【００３２】
本開示の前述の説明は、種々の例示的な実施形態を例示及び説明するものである。本開示の趣旨及び範囲から逸脱することなく、種々の追加、変更、変形等を例示的な実施形態に対して行うことができる。上記説明に含まれるか又は添付図面に示されている全ての事項が、限定的な意味ではなく例示として解釈されることが意図される。加えて、本開示は、本開示の選択された実施形態のみを図示及び説明しているが、本開示は、種々の他の組み合わせ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、各実施形態の或る特定の機能部及び特徴を、選択的に入れ替えて、本開示の他の説明された実施形態及び説明されていない実施形態に適用することができる。
【図１】
2014513654.tif 000003
【図２】
2014513654.tif 000004
【図３】
2014513654.tif 000005
【図４】
2014513654.tif 000006
【図５】
2014513654.tif 000007
【図６】
2014513654.tif 000008
【図７】
2014513654.tif 000009
【図８】
2014513654.tif 000010
【図９】
2014513654.tif 000011
【図１０】
2014513654.tif 000012
【図１１】
2014513654.tif 000013
【図１２】
2014513654.tif 000014
【国際調査報告】
2014513654.tif 000015
2014513654.tif 000016